(57)【要約】【課題】透明性を有するスクリーン部を複数配列して大画面化した反射スクリーン及びこれを備える映像表示装置において、スクリーン部間の継ぎ目（非表示部）が目立ちにくい反射スクリーン及びこれを備える映像表示装置を提供する。【解決手段】スクリーン１００は、反射スクリーンであり、映像光の一部を反射して映像を表示し、かつ、映像光の一部を透過する第１スクリーン部１０と第２スクリーン部２０とが一方向に配列されて形成されている。第１スクリーン部１０と第２スクリーン部２０とは、端部が厚み方向に一体に積層された積層領域Ｗ１を備え、各スクリーン部の反射層は、少なくとも積層領域Ｗ１において、そのスクリーン部の最端部へ向かうにつれて反射率が連続的に又は段階的に小さくなっている。【選択図】図１
2018081262.tif 000002
【特許請求の範囲】
【請求項１】
複数の映像源から投射された映像光の一部を反射して映像を表示し、かつ、映像光の一部を透過する複数のスクリーン部が少なくとも一方向に配列されて形成された反射スクリーンであって、
複数の前記スクリーン部は、それぞれ、
光透過性を有し、単位光学形状が背面側の面に複数配列された光学形状層と、
前記単位光学形状の少なくとも一部に形成され、その前記単位光学形状側の表面が不規則な凹凸形状を有する粗面であり、入射する光の一部を反射し、入射するその他の光の少なくとも一部を透過する機能を有する反射層と、
を備え、
前記スクリーン部は、隣接するスクリーン部が厚み方向に一体に積層された積層領域を備え、
前記反射層は、少なくとも前記積層領域において、前記スクリーン部の最端部へ向かうにつれて反射率が連続的に又は段階的に小さくなっていること、
を特徴とする反射スクリーン。
【請求項２】
請求項１に記載の反射スクリーンにおいて、
前記スクリーン部の前記積層領域内の最端部における前記反射層の反射率は、０％であること、
を特徴とする反射スクリーン。
【請求項３】
請求項１又は請求項２に記載の反射スクリーンにおいて、
前記光学形状層は、背面側の面に、前記単位光学形状が同心円状に複数配列されたサーキュラーフレネルレンズ形状を有すること、
を特徴とする反射スクリーン。
【請求項４】
請求項３に記載の反射スクリーンにおいて、
前記サーキュラーフレネルレンズ形状は、そのフレネルセンターとなる点が前記スクリーン部の表示領域外に位置すること、
を特徴とする反射スクリーン。
【請求項５】
請求項１から請求項４までのいずれか１項に記載の反射スクリーンにおいて、
同一形状である複数の前記スクリーン部が配列されて形成されていること、
を特徴とする反射スクリーン。
【請求項６】
請求項１から請求項５までのいずれか１項に記載の反射スクリーンにおいて、
前記スクリーン部は、光を吸収する作用を有する光吸収層を備えること、
を特徴とする反射スクリーン。
【請求項７】
請求項１から請求項６までのいずれか１項に記載の反射スクリーンにおいて、
前記反射層は、誘電体多層膜により形成されていること、
を特徴とする反射スクリーン。
【請求項８】
請求項１から請求項７までのいずれか１項に記載の反射スクリーンにおいて、
前記スクリーン部は、光を拡散する作用を有する拡散粒子を含有する光拡散層を備えていないこと、
を特徴とする反射スクリーン。
【請求項９】
請求項１から請求項８までのいずれか１項に記載の反射スクリーンにおいて、
映像源側に、反射防止機能、ハードコート機能、帯電防止機能、防汚機能の少なくとも１つの機能を有する層を備えること、
を特徴とする反射スクリーン。
【請求項１０】
請求項１から請求項９までのいずれか１項に記載の反射スクリーンと、
前記反射スクリーンが有する複数の前記スクリーン部にそれぞれ対応し、対応する前記スクリーン部に映像光を投射する複数の映像源と、
を備える映像表示装置。
【発明の詳細な説明】
【技術分野】
【０００１】
本発明は、反射スクリーン、及び、これを備える映像表示装置に関するものである。
【背景技術】
【０００２】
従来、映像源から投射された映像光を反射又は透過して表示するスクリーンとして、様々なものが開発されている（例えば、特許文献１参照）。なかでも、透明性を有するスクリーンは、映像光を投射しない不使用時等にはスクリーンの向こう側の景色が透けて見えるので、意匠性の高さ等から需要が高まっている。
また、各種スクリーンを配列して大画面表示スクリーンとする表示装置等も様々に開発されている（例えば、特許文献２参照）。
【先行技術文献】
【特許文献】
【０００３】
【特許文献１】特開平９−１１４００３号公報
【特許文献２】特開２００２−１６２６８９号公報
【発明の概要】
【発明が解決しようとする課題】
【０００４】
上述のような半透過型の反射スクリーンは、光を拡散する作用を有する拡散粒子等を含有する光拡散層を備えていると、スクリーンの向こう側の景色が白っぽくぼやけて観察され、意匠性の低下を招くため、透明性の向上が課題となっていた。
また、スクリーンを複数配列して大画面化した場合に、各スクリーンの境界部分（継ぎ目）の非表示部が暗線となって観察者に目立って観察されやすく、画質の低下や意匠性の低下等を招くといった課題があった。
【０００５】
上述の特許文献１には、透過型、反射型の両方に使用することができるスクリーンが提案されており、背面側からの光を透過することが可能である。しかし、この特許文献１には、スクリーンの透明性の向上に関しては、なんら開示されていない。また、この特許文献１には、複数のスクリーンを配列して大画面化することや、継ぎ目の視認の抑制に関して一切開示されていない。
【０００６】
また、上述の特許文献２は、透過型のスクリーンを複数配列した大画面表示装置において、配列されたスクリーン間の境界部分の非表示部の発生を抑えることを課題としてなされたものである。しかし、特許文献２では、反射型のスクリーンや透明性を有するスクリーンを複数配列した場合において、境界部分（継ぎ目）の非表示部等を改善することに関しては、なんら開示されていない。
【０００７】
本発明の課題は、透明性を有するスクリーン部を複数配列して大画面化した反射スクリーン及びこれを備える映像表示装置において、スクリーン部間の継ぎ目（非表示部）が目立ちにくい反射スクリーン及びこれを備える映像表示装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、複数の映像源から投射された映像光の一部を反射して映像を表示し、かつ、映像光の一部を透過する複数のスクリーン部（１０，２０，３０）が少なくとも一方向に配列されて形成された反射スクリーンであって、複数の前記スクリーン部は、それぞれ、光透過性を有し、単位光学形状（１２１，２２１，３２１）が背面側の面に複数配列された光学形状層（１２，２２，３２）と、前記単位光学形状の少なくとも一部に形成され、その前記単位光学形状側の表面が不規則な凹凸形状を有する粗面であり、入射する光の一部を反射し、入射するその他の光の少なくとも一部を透過する機能を有する反射層（１３，２３，３３）と、を備え、前記スクリーン部は、隣接するスクリーン部が厚み方向に一体に積層された積層領域（Ｗ１，Ｗ２）を備え、前記反射層は、少なくとも前記積層領域において、前記スクリーン部の最端部へ向かうにつれて反射率が連続的に又は段階的に小さくなっていること、を特徴とする反射スクリーン（１００，２００）である。
請求項２の発明は、請求項１に記載の反射スクリーンにおいて、前記スクリーン部（１０，２０，３０）の前記積層領域（Ｗ１，Ｗ２）内の最端部における前記反射層（１３，２３，３３）の反射率は、０％であること、を特徴とする反射スクリーン（１００，２００）である。
請求項３の発明は、請求項１又は請求項２に記載の反射スクリーンにおいて、前記光学形状層（１２，２２，３２）は、背面側の面に、前記単位光学形状（１２１，２２１，３２１）が同心円状に複数配列されたサーキュラーフレネルレンズ形状を有すること、を特徴とする反射スクリーン（１００，２００）である。
請求項４の発明は、請求項３に記載の反射スクリーンにおいて、前記サーキュラーフレネルレンズ形状は、そのフレネルセンターとなる点（Ｃ１，Ｃ２，Ｃ３）が前記スクリーン部（１０，２０，３０）の表示領域外に位置すること、を特徴とする反射スクリーン（１００，２００）である。
請求項５の発明は、請求項１から請求項４までのいずれか１項に記載の反射スクリーンにおいて、同一形状である複数の前記スクリーン部（１０，２０，３０）が配列されて形成されていること、を特徴とする反射スクリーン（１００，２００）である。
請求項６の発明は、請求項１から請求項５までのいずれか１項に記載の反射スクリーンにおいて、前記スクリーン部は、光を吸収する作用を有する光吸収層を備えること、を特徴とする反射スクリーンである。
請求項７の発明は、請求項１から請求項６までのいずれか１項に記載の反射スクリーンにおいて、前記反射層（１３，２３，３３）は、誘電体多層膜により形成されていること、を特徴とする反射スクリーン（１００，２００）である。
請求項８の発明は、請求項１から請求項７までのいずれか１項に記載の反射スクリーンにおいて、前記スクリーン部は、光を拡散する作用を有する拡散粒子を含有する光拡散層を備えていないこと、を特徴とする反射スクリーン（１００，２００）である。
請求項９の発明は、請求項１から請求項８までのいずれか１項に記載の反射スクリーンにおいて、映像源側に、反射防止機能、ハードコート機能、帯電防止機能、防汚機能の少なくとも１つの機能を有する層を備えること、を特徴とする反射スクリーンである。
請求項１０の発明は、請求項１から請求項９までのいずれか１項に記載の反射スクリーン（１００，２００）と、前記反射スクリーンが有する複数の前記スクリーン部（１０，２０，３０）にそれぞれ対応し、対応する前記スクリーン部に映像光を投射する複数の映像源（ＬＳ１，ＬＳ２，ＬＳ３）と、を備える映像表示装置（１，２）である。
【発明の効果】
【０００９】
本発明によれば、透明性を有するスクリーン部を複数配列して大画面化した反射スクリーン及びこれを備える映像表示装置において、スクリーン部間の継ぎ目（非表示部）が目立ちにくい反射スクリーン及びこれを備える映像表示装置を提供できる。
【図面の簡単な説明】
【００１０】
【図１】第１実施形態の映像表示装置１を説明する図である。
【図２】第１実施形態のスクリーン１００の層構成を説明する図である。
【図３】第１実施形態の第１光学形状層１２、第２光学形状層２２をそれぞれ背面側（−Ｚ側）から見た図である。
【図４】第１実施形態のスクリーン１００の画面上下方向（Ｙ方向）における映像光及び外光の様子を説明する図である。
【図５】第１実施形態の第１反射層１３及び第２反射層２３の反射率について説明する図である。
【図６】第１実施形態のスクリーン１００からの反射光（映像光）について説明する図である。
【図７】第２実施形態の映像表示装置２を説明する図である。
【図８】第２実施形態の第３スクリーン部３０を説明する図である。
【図９】第２実施形態の各反射層の反射率について説明する図である。
【発明を実施するための形態】
【００１１】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中に記載する各部材の寸法等の数値及び材料名等は、実施形態としての一例であり、これに限定されるものではなく、適宜選択して使用してよい。
【００１２】
本明細書中において、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
また、本明細書中において、スクリーン面とは、スクリーン全体として見たときにおける、スクリーンの平面方向となる面を示すものであり、スクリーンの画面（表示面）に平行であるとする。
【００１３】
（第１実施形態）
図１は、第１実施形態の映像表示装置１を説明する図である。図１（ａ）は、映像表示装置１を映像源側の正面方向から見た図であり、図１（ｂ）は、映像表示装置１を鉛直方向上側から見た図であり、図１（ｃ）は、映像表示装置１を側面から見た図である。
映像表示装置１は、スクリーン１００、第１映像源ＬＳ１及び第２映像源ＬＳ２等を有している。スクリーン１００は、複数のスクリーン部（本実施形態では、第１スクリーン部１０、第２スクリーン部２０の２つ）が配列されて形成されている。また、このスクリーン１００は、各映像源から投影された映像光の一部を反射して、その映像源側の画面（表示領域）に映像を表示可能であり、また、入射した映像光の一部を透過する。
【００１４】
ここで、理解を容易にするために、図１を含め以下に示す各図において、適宜、ＸＹＺ直交座標系を設けて示している。この座標系では、スクリーン１００の画面左右方向（水平方向）をＸ方向、画面上下方向（鉛直方向）をＹ方向とし、スクリーン１００の厚み方向をＺ方向とする。スクリーン１００の画面は、ＸＹ面に平行であり、スクリーン１００の厚み方向（Ｚ方向）は、スクリーン１００の画面に直交する。
また、スクリーン１００の厚み方向における映像源側の正面方向に位置する観察者Ｏ１から見て、画面左右方向の右側に向かう方向を＋Ｘ方向、画面上下方向の上側に向かう方向を＋Ｙ方向、厚み方向において背面側（裏面側）から映像源側に向かう方向を＋Ｚ方向とする。
さらに、以下の説明中において、画面上下方向、画面左右方向、厚み方向とは、特に断りが無い場合、このスクリーン１００の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００１５】
第１映像源ＬＳ１及び第２映像源ＬＳ２は、映像光Ｌ１，Ｌ２をスクリーン１００へ投影する映像投射装置（プロジェクタ）である。本実施形態の第１映像源ＬＳ１及び第２映像源ＬＳ２は、短焦点型のプロジェクタである。各映像源は、対応するスクリーン部にそれぞれ映像光を投射する。
【００１６】
第１映像源ＬＳ１は、第１スクリーン部１０へ映像光Ｌ１を投射する。第１映像源ＬＳ１は、映像表示装置１の使用状態において、第１スクリーン部１０の画面（表示領域）を映像源側（＋Ｚ側）の正面方向（スクリーン面の法線方向）から見た場合に、第１スクリーン部１０の画面左右方向（Ｘ方向）の中央であって、第１スクリーン部１０の画面よりも鉛直方向下方側（−Ｙ側）に位置している。
また、第２映像源ＬＳ２は、第２スクリーン部２０へ映像光Ｌ２を投射する。第２映像源ＬＳ２は、映像表示装置１の使用状態において、第２スクリーン部２０の画面（表示領域）を映像源側（＋Ｚ側）の正面方向（スクリーン面の法線方向）から見た場合に、第２スクリーン部２０の画面左右方向（Ｘ方向）の中央であって、第２スクリーン部２０の画面よりも鉛直方向下方側（−Ｙ側）に位置している。
【００１７】
第１映像源ＬＳ１及び第２映像源ＬＳ２は、奥行き方向（Ｚ方向）において、スクリーン１００の映像源側（＋Ｚ側）の表面からの距離が従来の汎用プロジェクタに比べて大幅に近い位置から、斜めに映像光Ｌ１，Ｌ２を投影できる。したがって、第１映像源ＬＳ１及び第２映像源ＬＳ２は、従来の汎用プロジェクタに比べて、スクリーン１００までの投射距離が短く、投射された映像光Ｌ１，Ｌ２がスクリーン１００（第１スクリーン部１０、第２スクリーン部２０）に入射する入射角度や、入射角度の変化量（最小値から最大値までの変化量）が大きい。
【００１８】
スクリーン１００は、第１映像源ＬＳ１及び第２映像源ＬＳ２が投射した映像光Ｌ１，Ｌ２の一部を映像源側（＋Ｚ側）に位置する観察者Ｏ１側へ向けて反射して映像を表示し、一部の映像光を背面側（−Ｚ側）へ透過する半透過型の反射スクリーンである。このスクリーン１００は、映像光を投射しない不使用時等において、スクリーン１００の向こう側の景色を観察できる透明性を有している。
スクリーン１００は、図１（ｂ）に示すように、映像を表示する第１スクリーン部１０及び第２スクリーン部２０と、透明層８０１，８０２と、これらを一体に接合する接合層１０１とを有している。
【００１９】
本実施形態のスクリーン１００の画面（表示領域）は、使用状態において、映像源側（＋Ｚ側）の観察者Ｏ１側から見て長辺方向が画面左右方向に平行な略矩形形状である。
また、本実施形態の第１スクリーン部１０及び第２スクリーン部２０は、使用状態において、正面方向（Ｚ方向）から見て、画面（表示領域）が横長の矩形形状である。そして、第１スクリーン部１０及び第２スクリーン部２０が、画面左右方向に配列され、スクリーン１００の画面左右方向（Ｘ方向）の中央部において、第１スクリーン部１０の右側端部と第２スクリーン部２０の左側端部とが厚み方向において積層され、接合層１０１によって一体に接合されている。
【００２０】
透明層８０１，８０２は、光透過性を有する層である。
透明層８０１は、第１スクリーン部１０の背面側（−Ｚ側）に位置し、透明層８０２は、第２スクリーン部２０の映像源側（＋Ｚ側）に位置している。透明層８０１，８０２は、接合層１０１を介してスクリーン１００として一体に積層されている。この透明層８０１，８０２は、各スクリーン部を厚み方向に積層したことによる段差を埋め、スクリーン１００の表裏面が平面状となるように、その大きさや厚みが設けられている。この透明層８０１，８０２を備えることにより、スクリーン１００全体として見たときに、その厚みが均一又は略均一となるので、スクリーン１００のハンドリングを容易とできる。また、透明層８０１，８０２を備えることにより、スクリーン１００を、後述する透明性を有する不図示の支持板等への接合する場合には、その接合を容易とすることができる。
【００２１】
この透明層８０１，８０２は、光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂により形成される層である。また、透明層８０１，８０２は、ガラス等により形成してもよい。
【００２２】
接合層１０１は、光透過性の高い粘着剤又は接着剤により形成された層である。接合層１０１は、スクリーン１００の厚み方向において第１スクリーン部１０と第２スクリーン部２０との間に位置し、本実施形態ではスクリーン１００の表示領域全面に設けられている。この接合層１０１は、積層領域Ｗ１において、第１スクリーン部１０と第２スクリーン部２０とを一体に接合し、積層領域Ｗ１以外の領域では、第１スクリーン部１０と透明層８０１、第２スクリーン部２０と透明層８０２とを一体に接合している。
【００２３】
この接合層１０１と、透明層８０１，８０２と、第１スクリーン部１０の背面側の層（本実施形態では第１保護層１５）と、第２スクリーン部２０の映像源側の層（本実施形態では第２基材層２１）とは、屈折率差がない、又は、屈折率差が可能な限り小さいことが、層間での不要な光の反射を抑制する観点から好ましい。
【００２４】
スクリーン１００は、その画面サイズが対角４０〜１００インチ程度であり、画面の横縦比が１６：９である。なお、これに限らず、スクリーン１００は、その画面サイズが、例えば、４０インチ程度以下の大きさとしてもよく、使用目的や使用環境等に応じて、その大きさや形状は適宜選択できるものとする。
一般的に、スクリーン１００は、樹脂製の薄い層の積層体等であり、それ単独では平面性を維持するだけの十分な剛性を有していない場合が多い。そのため、スクリーン１００は、その背面側等に光透過性を有する不図示の接合層を介して不図示の支持板を一体に接合（あるいは部分固定）し、画面の平面性を維持する形態としてもよい。
このような支持板は、光透過性を有し、剛性が高い平板状の部材であり、アクリル樹脂やＰＣ樹脂等の樹脂製、ガラス製等の板状の部材を用いることができる。
また、スクリーン１００は、不図示の枠部材等によってその四辺等が支持され、その平面性を維持する形態としてもよい。
【００２５】
図２は、第１実施形態のスクリーン１００の層構成を説明する図である。図２（ａ）では、第１スクリーン部１０の映像源側（＋Ｚ側）の画面中央（画面の幾何学的中心）となる点Ａ１（図１参照）を通り、画面上下方向（Ｙ方向）に平行であって、スクリーン面に垂直（Ｚ方向に平行）な断面の一部を拡大して示している。図２（ｂ）では、第２スクリーン部２０の映像源側（＋Ｚ側）の画面中央（画面の幾何学的中心）となる点Ａ２（図１参照）を通り、画面上下方向（Ｙ方向）に平行であって、スクリーン面に垂直（Ｚ方向に平行）な断面の一部を拡大して示している。
図３は、第１実施形態の第１光学形状層１２、第２光学形状層２２をそれぞれ背面側（−Ｚ側）から見た図である。図３（ａ）は、第１光学形状層１２を背面側から見た図であり、図３（ｂ）は、第２光学形状層２２を背面側から見た図である。理解を容易にするために、図３（ａ），（ｂ）では、それぞれ、第１光学形状層１２、第２光学形状層２２のみを示している。
【００２６】
第１スクリーン部１０は、第１映像源ＬＳ１からの映像光Ｌ１の一部を反射して映像を表示し、かつ、映像光Ｌ１の一部を透過する。
第２スクリーン部２０は、第２映像源ＬＳ２からの映像光Ｌ２の一部を反射して映像を表示し、かつ、映像光Ｌ２の一部を透過する。また、第１スクリーン部１０と第２スクリーン部２０とが厚み方向（Ｚ方向）に積層された積層領域Ｗ１では、第１スクリーン部１０よりも背面側に位置する第２スクリーン部２０は、第１スクリーン部１０を透過した映像光Ｌ２の一部を反射して映像を表示する。
【００２７】
第１スクリーン部１０は、映像源側（＋Ｚ側）から順に、第１基材層１１、第１光学形状層１２、第１反射層１３、第１樹脂層１４、第１保護層１５を備えている。
また、第２スクリーン部２０は、第１スクリーン部１０よりも背面側（−Ｚ側）に位置し、映像源側から順に、第２基材層２１、第２光学形状層２２、第２反射層２３、第２樹脂層２４、第２保護層２５を備えている。
本実施形態の第１スクリーン部１０と第２スクリーン部２０とは、同じ形状のスクリーンである。したがって、第１スクリーン部１０の映像の表示領域及び第２スクリーン部２０の映像の表示領域は、同じ矩形形状であり、同じ大きさである。
【００２８】
まず、第１スクリーン部１０から説明する。
第１基材層１１は、光透過性を有するシート状の部材である。第１基材層１１は、その背面側（裏面側，−Ｚ側）に、第１光学形状層１２が一体に形成されている。第１基材層１１は、第１光学形状層１２を形成する基材（ベース）となる層である。また、第１基材層１１は、スクリーン１００の映像源側（＋Ｚ側）を保護する機能を有していてもよい。
第１基材層１１は、例えば、高い光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂等により形成される。
【００２９】
第１光学形状層１２は、第１基材層１１の背面側（−Ｚ側）に形成された光透過性を有する層である。第１光学形状層１２の背面側の面には、第１単位光学形状（単位レンズ）１２１が複数配列されて設けられている。
図３（ａ）に示すように、第１単位光学形状１２１は、真円の一部形状（円弧状）であり、スクリーン１００の画面外（第１スクリーン部１０の表示領域外）に位置する点Ｃ１を中心として、同心円状に複数配列されている。即ち、第１光学形状層１２は、背面側の面に、点Ｃ１をフレネルセンターとする、いわゆるオフセット構造のサーキュラーフレネルレンズ形状を有している。
この点Ｃ１は、図３（ａ）に示すように、第１スクリーン部１０の表示領域の左右方向の中央であって表示領域外下方に位置しており、スクリーン１００を正面方向から見た場合、点Ｃ１と点Ａ１とは、Ｙ方向に平行な同一直線上に位置している。
【００３０】
第１単位光学形状１２１は、図２に示すように、スクリーン面に直交する方向（Ｚ方向）に平行であって、第１単位光学形状１２１の配列方向に平行な断面における断面形状が、略三角形形状である。
第１単位光学形状１２１（単位レンズ）は、背面側に凸であり、映像光が入射する第１斜面（レンズ面）１２１ａと、これに対向する第２斜面（非レンズ面）１２１ｂとを有している。１つの第１単位光学形状１２１において、第２斜面１２１ｂは、頂点ｔ１を挟んで第１斜面１２１ａの下側に位置している。
【００３１】
第１斜面１２１ａがスクリーン面に平行な面となす角度は、θ１である。第２斜面１２１ｂがスクリーン面に平行な面となす角度は、θ２である。角度θ１，θ２は、θ２＞θ１という関係を満たしている。
この第１単位光学形状１２１の第１斜面１２１ａ及び第２斜面１２１ｂは、微細かつ不規則な凹凸形状を有する粗面である。この凹凸形状は、微細な凸形状と凹形状とが２次元方向に不規則に配列されて形成されており、凸形状及び凹形状は、その大きさや形状、高さ等は不規則である。
【００３２】
第１単位光学形状１２１の配列ピッチは、Ｐ１であり、第１単位光学形状１２１の高さ（厚み方向における頂点ｔ１から第１単位光学形状１２１間の谷底となる点ｖ１までの寸法）は、ｈ１である。
理解を容易にするために、図２では、第１単位光学形状１２１の配列ピッチＰ１、角度θ１，θ２は、第１単位光学形状１２１の配列方向において一定である例を示している。しかし、本実施形態の第１単位光学形状１２１は、実際には、配列ピッチＰ１は一定であるが、角度θ１が第１単位光学形状１２１の配列方向においてフレネルセンターとなる点Ｃ１から離れるにつれて次第に大きくなっている。
角度θ１，θ２、配列ピッチＰ１等は、映像源ＬＳ１からの映像光の投射角度（第１スクリーン部１０への映像光の入射角度）や、映像源の画素（ピクセル）の大きさ、第１スクリーン部１０の表示領域の大きさ（画面サイズ）、第１スクリーン部１０の各層の屈折率等に応じて、適宜設定してよい。例えば、第１単位光学形状１２１の配列方向に沿って、配列ピッチＰ１が変化し、角度θ１，θ２が変化する形態としてもよい。
【００３３】
第１光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層１２を構成する樹脂として、紫外線硬化型樹脂を例に挙げて説明するが、これに限らず、例えば、電子線硬化型樹脂等の他の電離放射線硬化型樹脂により形成してもよい。
【００３４】
第１反射層１３は、入射した光の一部を反射し、入射したその他の光を透過する半透過型の反射層であり、いわゆるハーフミラーである。本実施形態の第１反射層１３は、第１単位光学形状１２１上（第１斜面１２１ａ及び第２斜面１２１ｂ上）に形成されている。
前述のように、第１斜面１２１ａ及び第２斜面１２１ｂには、微細かつ不規則な凹凸形状が形成されており、第１反射層１３は、この微細かつ不規則な凹凸形状に追従して形成され、その凹凸形状を維持した状態で成膜されている。そのため、第１反射層１３の第１光学形状層１２側（映像源側）の面及び第１樹脂層１４側（背面側）の面は、微細かつ不規則な凹凸形状を有する粗面となっている。
この第１反射層１３は、入射した光の一部を微細かつ不規則な凹凸形状により拡散して反射し、入射したその他の光を拡散しないで透過する。
【００３５】
第１反射層１３は、屈折率の高い誘電体膜（以下、高屈折率誘電体膜という）と屈折率が低い誘電体膜（以下、低屈折率誘電体膜という）とが交互に複数積層されて形成された誘電体多層膜により形成されている。
高屈折率誘電体膜は、例えば、ＴｉＯ２（二酸化チタン）、Ｎｂ２Ｏ５（五酸化ニオブ）、Ｔａ２Ｏ５（五酸化タンタル）等により形成される。高屈折率誘電体膜の屈折率は、２．０〜２．６程度である。
低屈折率誘電体膜は、例えば、ＳｉＯ２（二酸化ケイ素）、ＭｇＦ２（フッ化マグネシウム）等により形成される。低屈折率誘電体膜の屈折率は、１．３〜１．５程度である。
高屈折率誘電体膜及び低屈折率誘電体膜の膜厚は、約５〜１００ｎｍであり、これらが交互に２〜１０層程積層されて形成されており、誘電体多層膜の総厚は、１０〜１０００ｎｍ程度である。
【００３６】
この第１反射層１３は、波長域４００〜８００ｎｍの光に対して、その反射率が約５〜４５％、透過率が約５５〜８５％である。
誘電体多層膜により形成された第１反射層１３は、アルミニウム等の金属蒸着膜等により形成された反射層に比べて、高い透明性を有しており、また、光の吸収損失が小さく、高い反射率を実現できる。
【００３７】
本実施形態の第１反射層１３は、ＴｉＯ２（二酸化チタン）等の金属酸化膜により形成された高屈折率誘電体膜と、ＳｉＯ２により形成された低屈折率誘電体膜を複数積層して形成されている。
第１反射層１３は、第１単位光学形状１２１上（第１斜面１２１ａ及び第２斜面１２１ｂ上）に、上述のような誘電体多層膜を蒸着、又は、スパッタリングする等により、所定の厚さで形成される。
なお、第１反射層１３は、これに限らず、例えば、アルミニウム、銀、ニッケル等の光反射性の高い金属を蒸着したり、光反射性の高い金属をスパッタリングしたり、金属箔を転写したりする等により形成してもよい。
【００３８】
第１反射層１３は、第２スクリーン部２０が積層されていない領域（積層領域Ｗ１以外の領域）では、その反射率は一定又は略一定である。しかし、積層領域Ｗ１では、第１反射層１３の反射率は、画面左右方向右側（第２スクリーン部２０側）に向かうにつれて連続的に又は段階的に小さくなり、画面左右方向の右側最端部では最も小さい値（例えば、０％）となっている。
【００３９】
第１樹脂層１４は、第１光学形状層１２及び第１反射層１３の背面側（−Ｚ側）に設けられた光透過性を有する層である。
第１樹脂層１４は、第１単位光学形状１２１による凹凸の谷部を埋めるように形成されており、第１光学形状層１２及び第１反射層１３の背面側（−Ｚ側）の面を平坦としている。したがって、第１樹脂層１４の映像源側（＋Ｚ側）の面は、第１光学形状層１２の第１単位光学形状１２１の略逆型の形状が複数配列されて形成されている。
このような第１樹脂層１４を設けることにより、第１反射層１３を保護できる。また、第１スクリーン部１０に第１樹脂層１４を設けることにより、第１保護層１５や、透明層８０１、第２スクリーン部２０を積層しやすくなる。
【００４０】
第１樹脂層１４の屈折率は、第１光学形状層１２の屈折率と等しい、又は、略等しい（等しいとみなせる程度に屈折率差が小さい）ことが望ましい。また、第１樹脂層１４は、第１光学形状層１２と同じ紫外線硬化型樹脂を用いて形成することが好ましいが、異なる材料により形成してもよい。
本実施形態の第１樹脂層１４は、第１光学形状層１２と同じ材料（紫外線硬化型樹脂）により形成され、その屈折率が第１光学形状層１２の屈折率に等しい。
【００４１】
第１保護層１５は、第１樹脂層１４の背面側（−Ｚ側）に形成された光透過性を有する層であり、この第１スクリーン部１０（スクリーン１００）の背面側を保護する機能を有している。
第１保護層１５は、光透過性の高い樹脂製のシート状の部材により形成される。第１保護層１５は、例えば、第１基材層１１と同様の材料を用いて形成されたシート状の部材を用いてもよい。
【００４２】
次に、第２スクリーン部２０について説明する。前述のように、第２スクリーン部２０は、第１スクリーン部１０と同様の形状のスクリーンである。したがって、第１スクリーン部１０と同様の機能を部分については、重複する説明を適宜省略する。
第２基材層２１は、第１スクリーン部１０の第１基材層１１に相当する層である。本実施形態では、第２基材層２１は、第１基材層１１と同様のシート状の部材を用いている。
第２光学形状層２２は、第１スクリーン部１０の第１光学形状層１２に相当する層である。
第２光学形状層２２は、図３（ｂ）に示すように、その背面側の面に、真円の一部形状（円弧状）である第２単位光学形状（単位レンズ）２２１がスクリーン１００の画面外（第２スクリーン部２０の表示領域外）に位置する点Ｃ２を中心として同心円状に複数配列された、オフセット構造のサーキュラーフレネルレンズ形状を有している。
本実施形態では、この点Ｃ２は、図３（ｂ）に示すように、第２スクリーン部２０の表示領域の左右方向の中央であって表示領域外下方に位置しており、スクリーン１００を正面方向（Ｚ方向）から見た場合、点Ｃ２と点Ａ２とは、Ｙ方向に平行な同一直線上に位置している。
【００４３】
第２単位光学形状２２１は、前述の第１単位光学形状１２１に相当し、図２（ｂ）に示すように、スクリーン面に直交する方向（Ｚ方向）及び第２単位光学形状２２１の配列方向に平行な断面における断面形状が、背面側に凸となる略三角形形状である。
第２単位光学形状２２１（単位レンズ）は、第１斜面（レンズ面）２２１ａと、第２斜面（非レンズ面）２２１ｂとを有している。
第１斜面２２１ａ及び第２斜面２２１ｂは、第１単位光学形状１２１の第１斜面１２１ａ及び第２斜面１２１ｂと同様に、微細かつ不規則な凹凸形状を有する粗面である。
【００４４】
第１斜面２２１ａがスクリーン面に平行な面となす角度は、θ３である。第２斜面２２１ｂがスクリーン面に平行な面となす角度は、θ４である。角度θ３，θ４は、θ４＞θ３という関係を満たしている。
第２単位光学形状２２１の配列ピッチは、Ｐ２であり、第２単位光学形状２２１の高さ（厚み方向における頂点ｔ２から第２単位光学形状２２１間の谷底となる点ｖ２までの寸法）は、ｈ２である。
【００４５】
第２単位光学形状２２１の角度θ３，θ４、配列ピッチＰ２、高さｈ２は、いずれも、第１単位光学形状１２１の角度θ１，θ２、配列ピッチＰ１、高さｈ１に相当する。
理解を容易にするために、図２では、第２単位光学形状２２１の配列ピッチＰ２、角度θ３，θ４は、第２単位光学形状２２１の配列方向において一定である例を示している。しかし、本実施形態の第２単位光学形状２２１は、実際には、配列ピッチＰ２は一定であるが、角度θ３が第２単位光学形状２２１の配列方向においてフレネルセンターとなる点Ｃ２から離れるにつれて次第に大きくなっている。
【００４６】
角度θ３，θ４、配列ピッチＰ２等は、前述の角度θ１，θ２及び配列ピッチＰ１と同様に、映像源ＬＳ２からの映像光の投射角度（第２スクリーン部２０への映像光の入射角度）や、映像源の画素（ピクセル）の大きさ、スクリーン１００の画面サイズ、各層の屈折率等に応じて、適宜設定してよい。例えば、第２単位光学形状２２１の配列方向に沿って、配列ピッチＰ２が変化し、角度θ３，θ４が変化する形態としてもよい。
【００４７】
本実施形態では、前述のように、第１スクリーン部１０と第２スクリーン部２０とは、同形状である。したがって、第１単位光学形状１２１の配列ピッチＰ１と第２単位光学形状２２１の配列ピッチＰ２とは等しい（Ｐ１＝Ｐ２）。また、第１スクリーン部１０においてフレネルセンターとなる点Ｃ１からの距離ｒである位置の第１単位光学形状１２１の角度θ１，θ２と、第２スクリーン部２０において点Ｃ２からの距離が同じ距離ｒである位置の第２単位光学形状２２１の角度θ３，θ４は、θ１＝θ３、θ２＝θ４である。
【００４８】
第２反射層２３は、第１スクリーン部１０の第１反射層１３に相当する層であり、第１反射層１３と同様に、誘電体多層膜により形成されている。
また、第２反射層２３は、第１スクリーン部１０が積層されていない領域（積層領域以外の領域）では、その反射率は一定又は略一定である。しかし、積層領域Ｗ１では、第２反射層２３の反射率は、画面左右方向において左側（第１スクリーン部１０側）に向かうにつれて連続的に又は段階的に小さくなり、画面左右方向の左側最端部では最も小さい値（例えば、０％）となっている。
【００４９】
第２樹脂層２４は、前述の第１スクリーン部１０の第１樹脂層１４に相当する層である。第２樹脂層２４は、第１樹脂層１４と同様の材料により形成されている。
第２保護層２５は、第１スクリーン部１０の第１保護層１５に相当する層である。第２保護層２５は、第１保護層１５と同様の材料により形成されている。
【００５０】
上述のように、本実施形態のスクリーン１００は、光を拡散する作用を有する拡散粒子等の拡散材を含有した光拡散層を備えていない。したがって、スクリーン１００に入射した光の一部は、第１反射層１３及び第２反射層２３の微細かつ不規則な凹凸形状で拡散反射されるが、入射したその他の光の少なくとも一部は、拡散されることなく透過する。
【００５１】
本実施形態のスクリーン１００は、例えば、以下のような製造方法により製造される。
まず、第１スクリーン部１０、第２スクリーン部２０を製造する。ここでは、第１スクリーン部１０を例に挙げて説明する。
第１基材層１１を用意し、その一方の面に、第１単位光学形状１２１を賦形する成形型に紫外線硬化型樹脂を充填した状態で積層し、紫外線を照射して紫外線硬化型樹脂を硬化させるＵＶ成形法により第１光学形状層１２を形成する。このとき、第１単位光学形状１２１を賦形する成形型の第１斜面１２１ａ及び第２斜面１２１ｂを賦形する面には、微細かつ不規則な凹凸形状が形成されている。
【００５２】
この微細かつ不規則な凹凸形状は、成形型の第１斜面１２１ａ及び第２斜面１２１ｂを賦形する面に、表面加工を複数回行うことにより形成できる。この表面加工は、例えば、めっき加工や、エッチング加工、ブラスト加工等である。また、表面加工は、各種条件等を変更して複数回行ってもよい。
第１光学形状層１２を第１基材層１１の一方の面に形成した後、第１斜面１２１ａ及び第２斜面１２１ｂに、誘電体多層膜を蒸着する等により第１反射層１３を形成する。
【００５３】
このとき、所定の形状等にマスキング可能なマスク等の治具等により、積層領域Ｗ１に相当する領域内の第１反射層１３は、例えば、ドット状や縞状等に形成され、積層領域Ｗ１内のスクリーン部の端部に向かうにつれて、その径や幅が小さくなるように形成される。これにより、積層領域Ｗ１内の端部に向かうにつれて、単位面積あたりにおいて第１反射層１３が形成されている領域が占める面積比が小さくなる（単位面積あたりにおいて第１反射層１３が形成されない領域が占める面積比が大きくなる）。
第１反射層１３が誘電体多層膜により形成される場合には、このように、第１反射層１３が形成される領域を減少させることにより、積層領域Ｗ１内の端部に向かうにつれて、単位面積当たりの第１反射層１３による光の反射光量が小さくなり、結果的に、第１反射層１３としての光の反射率が減少する。
なお、アルミニウム等の金属を蒸着させて第１反射層１３を形成する場合には、上記の方法の他に、例えば、グラデーションマスク等を用いて、第１反射層１３の厚みを調整して形成することにより、積層領域Ｗ１内での第１反射層１３反射率の減少を実現できる。
【００５４】
次に、第１反射層１３の上から、第１単位光学形状１２１による凹凸の谷部を充填して平面状となるように紫外線硬化型樹脂を塗布し、第１保護層１５を積層して、紫外線を照射して紫外線硬化型樹脂を硬化させ、第１樹脂層１４及び第１保護層１５を一体に形成する。これにより、第１スクリーン部１０が形成される。
第２スクリーン部２０も、同様の製造方法により製造される。
なお、第１基材層１１、第２基材層２１、第１保護層１５、第２保護層２５は、枚葉状としてもよいし、ウェブ状としてもよい。
【００５５】
次に、例えば、第１スクリーン部１０及び透明層８０２を画面左右方向に沿って配列し、互いの端部が当接した状態で、仮止め用の剥離可能なテープ等で仮止めする。次に、この第１スクリーン部１０及び透明層８０２の背面側（−Ｚ側）となる面に、透光性を有する粘着剤等を等厚で塗布し、接合層１０１を形成する。
この接合層１０１の上から、前述の第１スクリーン部１０及び透明層８０２と同様に、端部が当接した状態で仮止めした第２スクリーン部２０及び透明層８０１を、積層領域Ｗ１で第１スクリーン部１０と第２スクリーン部２０とが厚み方向に積層されるようにして接合する。その後、所定の大きさに裁断する等により、スクリーン１００が形成される。
【００５６】
第１反射層１３及び第２反射層２３の表面に微細かつ不規則な凹凸形状を形成する方法として、例えば、第１斜面１２１ａ，２２１ａ及び第２斜面１２１ｂ，２２１ｂ上に拡散粒子等を塗布してその上から各反射層を形成したり、第１光学形状層１２及び第２光学形状層２２を形成後に第１斜面１２１ａ，２２１ａ及び第２斜面１２１ｂ，２２１ｂにブラスト加工を１回行い、その上から各反射層を形成したりする方法等が従来知られている。
しかし、このような製法では、第１スクリーン部１０と第２スクリーン部２０とで拡散特性や品質に差が生じたり、個々のスクリーン１００での拡散特性や品質等に大きなばらつきが生じたりするため、安定した製造が行えない。
これに対して、上述のように、第１単位光学形状１２１及び第２単位光学形状２２１の第１斜面１２１ａ，２２１ａ及び第２斜面１２１ｂ，２２１ｂの微細かつ不規則な凹凸形状を成形型によって賦形し、その上に各反射層をそれぞれ形成するという製造方法を用いることにより、各スクリーン部での品質のばらつきを低減でき、スクリーン１００を多数製造する場合にも、品質のばらつきが少なく、安定して製造できるという利点がある。
【００５７】
図４は、第１実施形態のスクリーン１００の画面上下方向（Ｙ方向）における映像光及び外光の様子を説明する図である。図４では、理解を容易にするために、第１スクリーン部１０を例に挙げて説明示し、点Ａ１を通り第１単位光学形状１２１の配列方向（Ｙ方向）及びスクリーンの厚み方向（Ｚ方向）に平行な断面での断面の一部を拡大して示している。また、図４では、理解を容易にするために、スクリーン１００内の各層の界面における屈折率差はないものとして示している。
スクリーン１００の下方に位置する映像源ＬＳ１から投射された映像光Ｌ１１のうち、一部の映像光Ｌ１２は、スクリーン１００に入射する際にスクリーン１００の表面（第１基材層１１の表面）で反射し、スクリーン１００の映像源側上方へ向かう。この映像光Ｌ１２は、観察者Ｏ１には届かない。
【００５８】
映像光Ｌ１１のうち、スクリーン１００に入射した一部の映像光Ｌ１３は、第１単位光学形状１２１の第１斜面１２１ａに入射して第１反射層１３によって拡散反射し、観察者Ｏ１側へ出射する。
第１斜面１２１ａに入射した映像光のうち反射しなかった一部の映像光Ｌ１４は、第１反射層１３を透過し、スクリーン１００の背面側（−Ｚ側）へ向かいスクリーン１００から背面側上方へ出射する。この映像光Ｌ１４は、スクリーン１００の背面側正面方向に位置する観察者Ｏ２には届かない。
【００５９】
本実施形態では、映像源ＬＳ１がスクリーン１００よりも下方に位置し、映像光Ｌ１１がスクリーン１００の下方から投射され、かつ、第２斜面１２１ｂがスクリーン面に平行な面となす角度θ２（図２参照）がスクリーン１００の画面上下方向の各点における映像光の入射角度よりも大きいので、映像光が第２斜面１２１ｂに直接入射することはなく、第２斜面１２１ｂは、映像光の反射にはほとんど影響しない。
【００６０】
次に、背面側（−Ｚ側）又は映像源側（＋Ｚ側）上方からスクリーン１００に入射する映像光以外の太陽光等の外界からの光（以下、外光という）について説明する。
図４に示すように、スクリーン１００に映像源側上方から入射する外光Ｇ１のうち、一部の外光Ｇ２は、スクリーン１００の表面等で反射し、スクリーン１００の映像源側下方側へ向かう。また、一部の外光Ｇ３は、第１反射層１３で反射し、一部はスクリーン１００の映像源側（＋Ｚ側）の表面で全反射してスクリーン１００内を下方へ向かって次第に減衰する。また、一部の外光Ｇ３は、そのスクリーン１００表面への入射角度によっては、スクリーン１００から映像源側下方へ出射する。
第１反射層１３を透過した一部の外光Ｇ４は、スクリーン１００から背面側下方へ出射する。この外光Ｇ４は、スクリーン１００の背面側正面方向に位置する観察者Ｏ２には届かない。
【００６１】
スクリーン１００に背面側上方から入射する外光Ｇ５のうち、一部の外光Ｇ６は、スクリーン１００の表面（ここでは、透明層８０１の背面側表面）で反射し、スクリーン１００の背面側下方側へ向かう。また、一部の外光Ｇ７は、第１反射層１３で反射し、スクリーン１００から背面側上方等へ出射する。この外光Ｇ７は、スクリーン１００の背面側正面方向に位置する観察者Ｏ２には届かない。
第１反射層１３を透過した一部の外光Ｇ８は、スクリーン１００内部を下方へ向かい、次第に減衰したり、スクリーン１００の映像源側下方へ出射したりする。この外光Ｇ８は、スクリーン１００の映像源側正面方向に位置する観察者Ｏ１には届かない。
【００６２】
また、小さな入射角度でスクリーン１００に入射する他の外光Ｇ９，Ｇ１０は、第１反射層を透過して、それぞれ背面側、映像源側へ出射する。スクリーン１００は、光を拡散する拡散粒子を含有する光拡散層等を含有していないので、このスクリーン１００を透過する外光Ｇ９，Ｇ１０は、拡散されない。
したがって、スクリーン１００を通して、スクリーン１００の向こう側の景色を観察した場合に、スクリーン１００の向こう側の景色がぼやけたり、白くにじんだりすることなく、高い透明性を有して観察することができる。
【００６３】
従来の拡散粒子を含有する光拡散層を備えた半透過型の反射スクリーンでは、映像光は、反射層での反射前後の２回拡散されるので、良好な視野角が得られる一方で映像の解像度が低下するという問題がある。また、拡散粒子によって外光も拡散されるため、スクリーンの向こう側の景色がぼやけたり、白くにじんだりして観察され、透明性が低下する。
【００６４】
しかし、本実施形態のスクリーン１００では、第１反射層１３及び第２反射層２３が表面に微細かつ不規則な凹凸形状を有しており、第１反射層１３及び第２反射層２３で反射する光のみが拡散され、透過する光は拡散されない。したがって、本実施形態のスクリーン１００は、良好な視野角及び解像度を有する映像を表示でき、かつ、スクリーン１００の向こう側の景色が白くにじんだり、ぼけたりすることがなく観察者Ｏ１に良好に視認され、高い透明性を実現できる。
また、本実施形態のスクリーン１００では、スクリーン１００に映像光が投射された状態においても、観察者Ｏ１が、スクリーン１００の向こう側（背面側）の景色を一部視認することが可能である。
さらに、本実施形態のスクリーン１００では、背面側（−Ｚ側）に位置する観察者Ｏ２は、映像光の投射の有無に関わらず、スクリーン１００越しに映像源側（＋Ｚ側）の景色を高い透明性を有して良好に視認することができる。
【００６５】
次に、スクリーン１００の積層領域Ｗ１について説明する。
図５は、第１実施形態の第１反射層１３及び第２反射層２３の反射率について説明する図である。図５では、第１反射層１３、第２反射層２３の画面左右方向における反射率の変化を模式的に示している。
図６は、第１実施形態のスクリーン１００からの反射光（映像光）について説明する図である。図６では、各スクリーン部で反射して映像源側（＋Ｚ側）出射する映像光を画面上下方向上側（＋Ｙ側）から見た様子を示している。
【００６６】
図５に示すように、本実施形態では、積層領域Ｗ１以外の領域では、第１反射層１３の反射率は一定であり、第１スクリーン部１０の画面中央となる点Ａ１での第１反射層１３の反射率は、例えば、２０％である。また、同様に、積層領域Ｗ１以外の領域では、第２反射層２３の反射率は一定であり、第２スクリーン部２０の画面中央となる点Ａ２での第２反射層２３の反射率は、例えば、２０％である。
積層領域Ｗ１において、第１反射層１３は、第１スクリーン部１０の右端（＋Ｘ側）に向かうにつれて反射率が連続的に小さくなっており、第１スクリーン部１０の最右端では、例えば、反射率が０％となっている。また、第２反射層２３は、第２スクリーン部の左端（−Ｘ側）に向かうにつれて反射率が連続的に小さくなっており、第２スクリーン部２０の最左端では、例えば、反射率が０％となっている。
したがって、積層領域Ｗ１において、第１反射層１３の反射率と第２反射層２３の反射率との和は、２０％程度となっている。
【００６７】
図６に示すように、各スクリーン部に入射した映像光は、各反射層によって、反射され、各スクリーン部から映像源側（＋Ｚ側）の集光点へ向けて出射する。本実施形態では、各スクリーン部の集光点は、いずれも無限遠である。
ここで、積層領域Ｗ１においては、第１映像源ＬＳ１からの映像光Ｌ１と第２映像源ＬＳ２からの映像光Ｌ２との両方が各スクリーン部に入射する。
前述のように、本実施形態では、スクリーン１００は、積層領域Ｗ１を有しており、この積層領域Ｗ１では、第１反射層１３の反射率は、第１スクリーン部１０の右端（＋Ｘ側）に向かうにつれて小さくなり、第２反射層２３の反射率は、第２スクリーン部２０の左端（−Ｘ側）に向かうにつれて小さくなっている。
【００６８】
そのため、本実施形態によれば、単にスクリーン部を配列したスクリーンで生じるスクリーン部間の継ぎ目（非表示部、映像光が反射されない部分）が生じない。また、本実施形態によれば、積層領域Ｗ１に表示される映像は、積層領域Ｗ１に隣接する双方のスクリーン部の領域が表示する映像となめらかに連続して表示され、スクリーン１００の正面方向に位置する観察者Ｏ１には、各映像の繋ぎ目は視認されにくい。
したがって、本実施形態によれば、スクリーン１００の正面方向に位置する観察者Ｏ１には、各スクリーン部が表示する映像がなめらかに連続しているように表示でき、大画面での良好な映像を表示でき、かつ、透明性を有するスクリーン１００及び映像表示装置１とすることができる。
【００６９】
なお、本実施形態では、積層領域Ｗ１の面積は、第１スクリーン部１０の表示領域の面積（又は、第２スクリーン部２０の表示領域の面積）に対する割合が約５０％以下とすることが、映像やスクリーン部の継ぎ目（非表示部）を解消し、かつ、良好な映像を大画面で表示する観点から好ましいが、使用環境や所望するスクリーン１００の画面サイズに応じて、第１スクリーン部１０の表示領域の面積（又は、第２スクリーン部２０の表示領域の面積）に対する積層領域Ｗ１の面積の割合を適宜設定してよい。
【００７０】
（第２実施形態）
図７は、第２実施形態の映像表示装置２を説明する図である。図７（ａ）は、映像表示装置２を映像源側の正面方向から見た図であり、図７（ｂ）は、映像表示装置２を鉛直方向上側から見た図である。
図８は、第２実施形態の第３スクリーン部３０を説明する図である。図８（ａ）では、第３スクリーン部３０の映像源側（＋Ｚ側）の画面中央（画面の幾何学的中心）となる点Ａ３（図７参照）を通り、画面上下方向（Ｙ方向）に平行であって、スクリーン面に垂直（Ｚ方向に平行）な断面の一部を拡大して示している。図８（ｂ）は、第３スクリーン部３０の第３光学形状層３２を背面側から見た図を示している。
第２実施形態の映像表示装置２は、スクリーン部とこれに対応する映像源との組み合わせが３組である点が、第１実施形態の映像表示装置１とは異なるが、それ以外は、第１実施形態の映像表示装置１と同様の形状である。したがって、前述した第１実施形態と同様の機能を果たす部分には、同一の符号又は末尾に同一の符号を付して、重複する説明を適宜省略する。
【００７１】
第２実施形態の映像表示装置２は、スクリーン２００と、スクリーン２００の各スクリーン部に映像光を投射する映像源（第１映像源ＬＳ１、第２映像源ＬＳ２、第３映像源ＬＳ３）とを備えている。
スクリーン２００は、第１スクリーン部１０、第２スクリーン部２０、第３スクリーン部３０、透明層８０１，８０２，８０３を備えている。第１スクリーン部１０、第２スクリーン部２０、第３スクリーン部３０は、画面左右方向に配列されている。
【００７２】
第３スクリーン部３０は、第２スクリーン部２０よりも映像源側（＋Ｚ側）に位置し、その画面左右方向左側端部が第２スクリーン部２０の画面左右方向右側端部と厚み方向に積層され、接合層１０１を介して一体に接合されている。第２スクリーン部２０と第３スクリーン部３０とが積層された領域は、積層領域Ｗ２である。また、第３スクリーン部３０は、その背面側（−Ｚ側）に、接合層１０１を介して透明層８０３が一体に積層され、接合されている。
第３スクリーン部３０は、第１スクリーン部１０及び第２スクリーン部２０と同形状のスクリーンであり、第３基材層３１、第３光学形状層３２、第３反射層３３、第３樹脂層３４、第３保護層３５を備えている。第３基材層３１は、第１基材層１１に相当し、第３光学形状層３２は、第１光学形状層１２に相当し、第３反射層３３は、第１反射層１３に相当し、第３樹脂層３４は、第１樹脂層１４に相当し、第３保護層３５は第１保護層１５に相当する。
【００７３】
また、第３光学形状層３２は、背面側に点Ｃ３をフレネルセンターとするオフセット構造のサーキュラーフレネルレンズ形状を有し、点Ｃ３と第３スクリーン部３０の表示領域（画面）の中央となる点Ａ３とは、Ｙ方向に平行な直線上に位置する。
第３単位光学形状３２１は、第１スクリーン部１０の第１単位光学形状１２１と同形状であり、第１斜面３２１ａ、第２斜面３２１ｂを有する。
第１斜面３２１ａ，第２斜面３２１ｂが図８に示す断面においてスクリーン面に平行な面となす角度θ５，θ６は、第１単位光学形状１２１の角度θ１，θ２に等しい。また、第３単位光学形状３２１の高さｈ３（厚み方向における頂点ｔ３から第３単位光学形状３２１間の谷底となる点ｖ３までの寸法）、配列ピッチＰ３は、第１単位光学形状１２１の高さｈ１、配列ピッチＰ１に等しい。
【００７４】
図９は、第２実施形態の各反射層の反射率について説明する図である。図９では、第１反射層１３、第２反射層２３、第３反射層３３の画面左右方向における反射率の変化を模式的に示している。
第２スクリーン部２０の第２反射層２３は、積層領域Ｗ１，Ｗ２以外の領域では、その反射率が一定又は略一定であり、積層領域Ｗ１，Ｗ２では、画面左右方向左端、右端に向かうにつれて反射率が連続的又は段階的に小さくなり、画面左右方向の最左端、最右端では反射率が最も小さい値となっている。
【００７５】
本実施形態では、積層領域Ｗ１，Ｗ２以外の領域に位置する点Ａ２での第２反射層２３の反射率は、例えば、２０％である。
また、第１スクリーン部１０との積層領域Ｗ１では、第２反射層２３は、画面左右方向左側（−Ｘ側）へ向かうにつれて、反射率が連続的に小さくなり、最左端での反射率が、例えば０％となっている。同様に、第３スクリーンとの積層領域Ｗ２では、第２反射層２３は、画面左右方向右側（＋Ｘ側）へ向かうにつれて、反射率が連続的に小さくなり、最右端での反射率が、例えば０％となっている。
【００７６】
また、本実施形態では、第３スクリーン部３０の第３反射層３３は、積層領域Ｗ２以外の領域での反射率は一定又は略一定であり、例えば、第３スクリーン部３０の表示領域の中央となる点Ａ３での第３反射層３３の反射率は、例えば２０％である。
そして、第２スクリーン部２０との積層領域Ｗ２では、第３反射層３３は、画面左右方向左側（−Ｘ側）へ向かうにつれて反射率が連続的に小さくなり、最左端での反射率が、例えば０％となっている。
【００７７】
以上のことから、本実施形態においても、前述の第１実施形態と同様に、継ぎ目の目立たたず、大画面で良好な映像を表示できるスクリーン２００及び映像表示装置２とすることができる。
なお、本実施形態では、映像表示装置２は、３枚のスクリーン部を有するスクリーン２００と、各スクリーン部に対応する映像源３つとを備える例を挙げて説明したが、これに限らず、スクリーン部の数は４つ以上としてもよく、映像源の数も対応するスクリーン部の数に合わせた数としてよい。
【００７８】
（変形形態）
以上説明した各実施形態に限定されることなく、種々の変形や変更が可能であって、それらも本発明の範囲内である。
（１）各実施形態において、スクリーン１００，２００が備える各スクリーン部は、すべて同形状である例を記載したが、これに限らず、各スクリーン部の形状等が異なっていてもよい。例えば、各スクリーン部において、画面横方向の寸法が異なっていてもよいし、各光学設計層が備えるフレネルレンズ形状の光学設計が異なっていたり（例えば、各第１斜面がスクリーン面に平行な面となす角度とが異なっていたり、配列ピッチが異なっていたり）してもよい。
【００７９】
（２）各実施形態において、スクリーン１００，２００は、透明層８０１，８０２，８０３を備えない形態としてもよい。スクリーン１００，２００は、透明層を有しない形態であっても、接合層１０１の厚さ等を調整する等より、不図示の支持板等に貼合可能である。
また、各実施形態において、透明層８０１〜８０３が、スクリーン１００，２００の画面の平面性を維持するために十分な剛性を備えている形態としてもよい。このような形態とすることにより、スクリーンに接合される不図示の支持板や枠部材等が不要となる。
また、各実施形態において、スクリーン１００，２００の各スクリーン部は、透明層８０１〜８０３が接合される側の基材層や保護層を備えない形態としてもよい。例えば、第１実施形態において、第１スクリーン部１０の第１保護層１５や第２スクリーン部２０の第２基材層２１を備えない形態としてもよい。
また、各実施形態において、スクリーン１００，２００の各スクリーン部は、各光学形状層や各樹脂層が十分な厚みや剛性等を有している場合には、各基材層及び各保護層のすべて、又は、各基材又は各保護層の一方を備えない形態としてもよい。
【００８０】
（３）第２実施形態において、第２スクリーン部２０の表示領域の面積は、積層領域Ｗ１，Ｗ２の面積の和よりも大きい例を示したが、これに限らず、第２スクリーン部２０の表示領域の面積は、積層領域Ｗ１，Ｗ２の面積の和と等しい形態としてもよい。
また、第２実施形態において、例えば、積層領域Ｗ１，Ｗ２の面積の和は、第２スクリーン部２０の表示領域の面積よりも大きくなる形態としてもよい。このとき、積層領域Ｗ１と積層領域Ｗ２とが厚み方向において一部が積層される形態となる。このような形態とすることにより、各スクリーン部が表示する映像を、さらになめらかに繋げることができる。
【００８１】
（４）各実施形態において、各積層領域内の各スクリーン部の最端部における反射層の反射率は、０％である例を示したが、これに限らず、少なくとも積層領域において最端部に向かうにつれて反射率が小さくなり、積層領域内のスクリーン部の最端部において最も小さい反射率となるならば、特にその値を限定しない。
【００８２】
（５）各実施形態において、スクリーン１００，２００の映像源側（＋Ｚ側）の面に、傷つき防止を目的としたハードコート層を設けてもよい。ハードコート層は、例えば、スクリーン１００，２００の映像源側の面に、ハードコート機能を有する紫外線硬化型樹脂（例えば、ウレタンアクリレート等）を塗布して形成する等により、形成することができる。
また、ハードコート層に限らず、スクリーン１００，２００の使用環境や使用目的等に応じて、例えば、反射防止機能、紫外線吸収機能、防汚機能、帯電防止機能等、適宜必要な機能を有する層を１つ又は複数選択して設けてもよい。さらに、スクリーン１００，２００の映像源側（＋Ｚ側）にタッチパネル層等を設けてもよい。
例えば、スクリーン１００，２００の映像源側の表面に反射防止層を設けた場合には、映像光のスクリーン入射時の反射を抑制し、入射光量を増大させることに加え、各反射層で反射した光の一部が、スクリーンの映像源側表面で反射して背面側から出射する等により、背面側の観察者Ｏ２に映像が一部漏れて見えてしまうこと等も防止できる。
【００８３】
（６）第１実施形態において、第１映像源ＬＳ１及び第２映像源ＬＳ２は、例えば、スクリーン１００の斜め下側等に配置され、スクリーン１００（第１スクリーン部１０、第２スクリーン部２０）に対して画面左右方向において斜め方向光から映像光を投射する形態としてもよい。このとき、第１映像源ＬＳ１及び第２映像源ＬＳ２の位置に合わせてフレネルセンターとなる点Ｃ１，Ｃ２の位置をずらして作成されている。このような形態とすれば、映像源の位置等の自由度が向上する。なお、第２実施形態においても、同様である。
【００８４】
（７）各実施形態において、第１単位光学形状１２１、第２単位光学形状２２１、第３単位光学形状３２１の各第１斜面、各第２斜面は、例えば、曲面と平面とが組み合わされた形態としてもよいし、折れ面状としてもよい。
また、第１単位光学形状１２１、第２単位光学形状２２１、第３単位光学形状３２１は、３つ以上の複数の面によって形成される多角形形状としてもよい。
また、第１反射層１３は、第１斜面１２１ａの少なくとも一部に形成される形態としてもよい。これは、第２反射層２３、第３反射層３３についても同様である。
また、第１単位光学形状１２１、第２単位光学形状２２１，第３単位光学形状３２１は、第１斜面のみが微細かつ不規則な凹凸形状を有する粗面である形態としてもよい。
【００８５】
（８）各実施形態において、スクリーン１００，２００は、画面（表示領域）が矩形形状である例を示したが、これに限らず、例えば、正方形や平行四辺形等の他の四角形形状や多角形形状、円形、長円形、楕円形等としてもよい。
【００８６】
（９）各実施形態において、各スクリーン部はスクリーンの画面左右方向に沿って配列される例を示したが、これに限らず、例えば、画面上下方向に配列される形態としてもよい。この場合、スクリーン部の配列方向に沿って映像源も画面上下方向に配列される。
【００８７】
（１０）各実施形態において、各スクリーン部の反射層は、画面中央となる点が最も反射率が高く、画面端部へ向かうにつれて、その反射率が連続的に又は段階的に小さくなる形態としてもよい。
【００８８】
（１１）各実施形態において、スクリーン１００，２００は、黒や灰色等の暗色系の着色材等で着色され、入射した光の一部を吸収する光吸収性を有する不図示の光吸収層を備えていてもよい。この光吸収層は、各反射層よりも映像源側（＋Ｚ側）に位置していてもよいし、各反射層よりも背面側（−Ｚ側）に位置していてもよい。
光吸収層をスクリーン１００，２００に設けることにより、スクリーンに入射した外光等に起因し、スクリーンと空気との界面で全反射しながらスクリーン内を進む迷光を吸収でき、迷光による映像のコントラスト低下等を抑制できる。
【００８９】
また、光吸収層が、各反射層よりも映像源側に位置する場合には、映像の黒輝度の低減や映像源側から入射する外光を吸収でき、映像のコントラストの向上を図ることができる。また、光吸収層が、各反射層よりも背面側に位置する場合には、背面側から入射する外光を吸収し、映像のコントラストを向上させることができる。
なお、上述の光吸収層は、着色材を含有せず、透明な層であって光吸収作用を有する層としてもよい。
【００９０】
（１２）各実施形態において、各映像源は、例えば、Ｐ波の偏光成分を有する映像光を投射するものとしてもよい。
各映像源は、映像光が入射角φで各スクリーン部へ投射されるように位置及び角度が設定されている。この入射角φは、各スクリーン部へ投射された映像光（Ｐ波）の反射率がゼロとなる入射角（ブリュースター角）をφｂ（°）とした場合、（φｂ−１０）°以上８５°以下の範囲に設定される。例えば、各スクリーン部へ投射された映像光の反射率がゼロとなる入射角φｂが６０°である場合、映像光の入射角φは、５０〜８５°の範囲に設定される。
【００９１】
このように、Ｐ波の偏光成分を有する映像光を投射する映像源を用いることにより、各スクリーン部への入射角φが大きい場合にも、スクリーン１００，２００の表面における鏡面反射を抑制することができ、映像源の設置位置等、投射系の設計の自由度を上げることができる。また、このような映像源を用いることにより、各スクリーン部又は透明層に入射する際に入射面での映像光の反射を低減でき、映像の明るさ、鮮明さの向上を図ることができる。
なお、角度φｂ（ブリュースター角）は、映像光が投射される各スクリーン部の表面又は透明層の材質により異なる。
また、このような形態の場合、スクリーン１００，２００の映像源側表面を構成する各基材層や透明層としては、例えば、ＴＡＣ製のシート状の部材が好適である。
【００９２】
なお、本実施形態及び変形形態は、適宜組み合わせて用いることもできるが、詳細な説明は省略する。また、本発明は以上説明した各実施形態によって限定されることはない。
【符号の説明】
【００９３】
１    映像表示装置
１００，２００    スクリーン
１０，２０，３０    第１スクリーン部，第２スクリーン部，第３スクリーン部
１１，２１，３１    第１基材層，第２基材層，第３基材層
１２，２２，３２    第１光学形状層，第２光学形状層，第３光学形状層
１２１，２２１，３２１    第１単位光学形状，第２単位光学形状，第３単位光学形状
１３，２３，３３    第１反射層，第２反射層，第３反射層
１４，２４，３４    第１樹脂層，第２樹脂層，第３樹脂層
１５，２５，３５    第１保護層，第２保護層，第３保護層
８０１，８０２，８０３    透明層
ＬＳ１，ＬＳ２，ＬＳ３    第１映像源，第２映像源，第３映像源
【図１】
2018081262.tif 000003
【図２】
2018081262.tif 000004
【図３】
2018081262.tif 000005
【図４】
2018081262.tif 000006
【図５】
2018081262.tif 000007
【図６】
2018081262.tif 000008
【図７】
2018081262.tif 000009
【図８】
2018081262.tif 000010
【図９】
2018081262.tif 000011